(57)【特許請求の範囲】
【請求項１】
押し込み操作されるボタンと、
前記ボタンの押し込みが可能な状態であるアンロック状態と前記ボタンの押し込みが不能な状態であるロック状態とに切り換え可能なロック具と
を備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記爪の剛性が前記回動側節度部の剛性よりも高い
スイッチ。
【請求項２】
押し込み操作されるボタンと、
前記ボタンの押し込みが可能な状態であるアンロック状態と前記ボタンの押し込みが不能な状態であるロック状態とに切り換え可能なロック具と
を備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記回動側節度部の弾性が前記爪の弾性よりも高い
スイッチ。
【請求項３】
押し込み操作されるボタンと、
前記ボタンの押し込みが可能な状態であるアンロック状態と前記ボタンの押し込みが不能な状態であるロック状態とに切り換え可能なロック具と
を備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記回動側節度部は、前記ロックリング部材の外周から突出して形成される
スイッチ。
【請求項４】
押し込み操作されるボタンと、
前記ボタンの押し込みが可能な状態であるアンロック状態と前記ボタンの押し込みが不能な状態であるロック状態とに切り換え可能なロック具と
を備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記ロックリング部材は、前記爪の周方向側面と当接する周方向当接面をさらに備える
スイッチ。
【請求項５】
押し込み操作されるボタンと、
前記ボタンの押し込みが可能な状態であるアンロック状態と前記ボタンの押し込みが不能な状態であるロック状態とに切り換え可能なロック具と
を備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記ロックリング部材は、前記爪の径方向外側面と当接する外側当接面をさらに備える
スイッチ。
【請求項６】
押し込み操作されるボタンと、
前記ボタンの押し込みが可能な状態であるアンロック状態と前記ボタンの押し込みが不能な状態であるロック状態とに切り換え可能なロック具と
を備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記ボタンは、付勢部材により前記押し込み方向と反対の方向に付勢され、
前記ロックリング部材は、前記外延部の押し込み方向側とは反対側の面と接触する反対側受け部をさらに備える
スイッチ。
【請求項７】
押し込み操作されるボタンと、
前記ボタンの押し込みが可能な状態であるアンロック状態と前記ボタンの押し込みが不能な状態であるロック状態とに切り換え可能なロック具と
を備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記ボタンは、周方向の一部から前記ロックリング部材よりも径方向外側に突出し、前記ボタンが挿入されるスイッチ配設部材に形成される規制部と接触することにより、自身の回転を規制する規制片をさらに備える
スイッチ。
【請求項８】
押し込み操作されるボタンと、
前記ボタンの押し込みが可能な状態であるアンロック状態と前記ボタンの押し込みが不能な状態であるロック状態とに切り換え可能なロック具と
を備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記ロック具は、回動不能なロック基台をさらに備え、
前記ロック基台は、前記固定側節度部を備え、
前記固定側節度部は、前記ロックリング部材の径方向外側に配置され、
前記ロックリング部材は、前記操作リング部材との間に前記ロック基台を挟み込んで前記操作リング部材と連結される
スイッチ。
【請求項９】
請求項１〜８のいずれか一項に記載のスイッチを備える電気機器。
【請求項１０】
押し込み操作されるボタンを備えるスイッチ、および、前記ボタンが挿入されるスイッチ配設部材を備える電気機器であって、
前記スイッチ配設部材は、回動不能な固定側節度部を備え、
前記スイッチは、
前記ボタンの押し込みが可能な状態であるアンロック状態と前記ボタンの押し込みが不能な状態であるロック状態とに切り換え可能なロック具
をさらに備え、
前記ロック具は、
前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、
前記操作リング部材と連結されて前記操作リング部材と一体的に回動可能な部材であって、前記アンロック位置と前記ロック位置との間である中間位置において前記固定側節度部と接触して弾性変形し、その弾性変形により前記操作リング部材を前記アンロック位置または前記ロック位置に誘導する回動側節度部を備えるロックリング部材と
を備え、
前記ボタンは、周方向の一部から径方向外側に突出する外延部を備え、
前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、
前記爪を含む前記操作リング部材の内径寸法、および、前記ロックリング部材の内径寸法が前記外延部を除く前記ボタンの外径寸法と同等以上であり、
前記ロックリング部材は、前記ロック具の状態が前記ロック状態に設定されているときの前記ボタンの押し込み力に応じて前記爪と前記スイッチ配設部材とにより挟持される受け部をさらに備える
電気機器。
【発明の詳細な説明】
【技術分野】
【０００１】
本発明は、主に電気かみそりやヘアドライヤー等の小型の電気機器に配設されるスイッチに関するものである。
【背景技術】
【０００２】
従来から電気かみそり等に配設されるスイッチとしては、例えば、特許文献１に開示されたものがある。このスイッチは、押し込み操作されるボタンと、ボタンの押し込みを許容するアンロック状態と押し込みを不能とするロック状態とに切り換え可能なロック具とを備える。詳しくは、このロック具は、ボタンを回動中心として回動可能に設けられることでアンロック状態とするアンロック位置とロック状態とするロック位置とに回動操作可能な操作リング部材と、操作リング部材と一体回動可能に連結されるロックリング部材とを有する。このロックリング部材は、アンロック位置とロック位置との中間位置ではスイッチ配設部材（電気かみそりの本体ケース等）に対して回動不能に設けられる固定側節度部にて弾性変形されつつアンロック位置又はロック位置に誘導するための回動側節度部を有する。又、ロックリング部材は、前記ロック位置に切り換えた状態では周方向位置が一致することでボタンと軸方向に当接し該ボタンの押し込みを不能とする爪を有する。
【先行技術文献】
【特許文献】
【０００３】
【特許文献１】特開２０１０−１０４７９２号公報
【発明の概要】
【発明が解決しようとする課題】
【０００４】
しかしながら、上記したスイッチでは、弾性変形させる回動側節度部とボタンに当接させてその押し込みを不能とする爪とが、ロックリング部材に一体成形された構成であるため、そのロックリング部材の材料選定の自由度が小さくなってしまう。即ち、回動側節度部に適した弾性と押し込みを不能とするために爪が必要とする剛性とを同時に満たすような困難な材料選定が必要となってしまう。このことは良好な操作感と強固なロック状態を両立させることを困難とする原因となる。
【０００５】
又、上記したスイッチでは、ボタンをロックリング部材と操作リング部材とで挟み込んで組み立てる構成となっている。よって、例えば、全てを組み付けた状態でボタンの押し込み動作（例えばボタンを押し込むと電気かみそりが正常に動作するか否か）を確認することになってしまう。又、ボタンも挟み込んだ状態で操作リング部材とロックリング部材の回動力伝達動作（正常に組み付けられて一体回動するか否か）を確認することになってしまう。これらのことから、例えば、完成品となった状態でのスイッチの動作不良率が高くなってしまう虞があり、組み付け性が悪いという問題がある。
【０００６】
本発明の目的は容易に良好な操作感と強固なロック状態を両立させることができ、さらに組み付け性がよいスイッチ、および、そのスイッチを備える電気機器を提供することである。
【課題を解決するための手段】
【０００７】
本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記爪の剛性が前記回動側節度部の剛性よりも高い。
【発明の効果】
【００１３】
本発明によれば、容易に良好な操作感と強固なロック状態を両立させることができ、さらに組み付け性がよいスイッチ、および、そのスイッチを備える電気機器を提供できる。
【図面の簡単な説明】
【００１４】
【図１】は実施の形態の電気かみそりの正面図である。
【図２】は図１の電気かみそりの断面図である。
【図３】は分解された図１の電気かみそりの斜視図である。
【図４】（ａ）は図３の一部の要素に関する正面側拡大図であり、（ｂ）はその要素の背面側拡大図である。
【図５】は図１の電気かみそりの一部の断面図である。
【図６】は図１の電気かみそりの一部の断面図である。
【図７】は図１の電気かみそりの一部の断面図である。
【図８】（ａ）はスイッチのロック状態を示す断面図であり、（ｂ）はスイッチのアンロック状態を示す断面図である。
【発明を実施するための形態】
【００１５】
（電気機器およびそのスイッチが取り得る形態の一例）
〔１〕本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記爪の剛性が前記回動側節度部の剛性よりも高い。
〔２〕本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記回動側節度部の弾性が前記爪の弾性よりも高い。
〔３〕本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記回動側節度部は、前記ロックリング部材の外周から突出して形成される。
〔４〕本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記ロックリング部材は、前記爪の周方向側面と当接する周方向当接面をさらに備える。
〔５〕本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記ロックリング部材は、前記爪の径方向外側面と当接する外側当接面をさらに備える。
〔６〕本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記ボタンは、付勢部材により前記押し込み方向と反対の方向に付勢され、前記ロックリング部材は、前記外延部の押し込み方向側とは反対側の面と接触する反対側受け部をさらに備える。
〔７〕本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記ボタンは、周方向の一部から前記ロックリング部材よりも径方向外側に突出し、前記ボタンが挿入されるスイッチ配設部材に形成される規制部と接触することにより、自身の回転を規制する規制片をさらに備える。
〔８〕本発明の一形態に従うスイッチは押し込み操作されるボタンと、前記ボタンの押し込みが可能な状態であるアンロック状態と前記ボタンの押し込みが不能な状態であるロック状態とに切り換え可能なロック具とを備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において回動不能な固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記ロック具は、回動不能なロック基台をさらに備え、前記ロック基台は、前記固定側節度部を備え、前記固定側節度部は、前記ロックリング部材の径方向外側に配置され、前記ロックリング部材は前記操作リング部材との間に前記ロック基台を挟み込んで前記操作リング部材と連結される。
〔９〕本発明の一形態に従う電気機器は前記スイッチを備える。
〔１０〕本発明の一形態に従う電気機器は押し込み操作されるボタンを備えるスイッチ、および、前記ボタンが挿入されるスイッチ配設部材を備える電気機器であって、前記スイッチ配設部材は、回動不能な固定側節度部を備え、前記スイッチは、前記ボタンの押し込みが可能な状態であるアンロック状態と前記ボタンの押し込みが不能な状態であるロック状態とに切り換え可能なロック具をさらに備え、前記ロック具は、前記ボタンを回動中心として回動可能な部材であって、前記ロック具の状態を前記アンロック状態に設定するアンロック位置、および、前記ロック具の状態を前記ロック状態に設定するロック位置を取り得る操作リング部材と、前記操作リング部材と連結されて前記操作リング部材と一体的に回動可能な部材であって、前記アンロック位置と前記ロック位置との間である中間位置において前記固定側節度部と接触して弾性変形し、その弾性変形により前記操作リング部材を前記アンロック位置または前記ロック位置に誘導する回動側節度部を備えるロックリング部材とを備え、前記ボタンは、周方向の一部から径方向外側に突出する外延部を備え、前記操作リング部材は、前記操作リング部材の位置が前記ロック位置に設定されているときに前記外延部と周方向の位置が一致して前記外延部の押し込み方向側の面と接触することにより前記ボタンの押し込みを不能とし、前記操作リング部材の位置が前記アンロック位置に設定されているときに前記外延部と周方向の位置が一致せずに前記外延部の押し込み方向側の面と接触しないことにより前記ボタンの押し込みを許容する爪を備え、前記爪を含む前記操作リング部材の内径寸法、および、前記ロックリング部材の内径寸法が前記外延部を除く前記ボタンの外径寸法と同等以上であり、前記ロックリング部材は、前記ロック具の状態が前記ロック状態に設定されているときの前記ボタンの押し込み力に応じて前記爪と前記スイッチ配設部材とにより挟持される受け部をさらに備える。
【００１６】
（実施の形態）
図１及び図２に示すように、本実施の形態の髭用の電気かみそり１１は、使用者が把持可能な把持部１２と、該把持部１２の上端部に設けられたヘッド部１３とを備える。
ヘッド部１３の上端部には、体毛を導入可能な外刃１４が自身の短手方向であってヘッド部１３の前後方向に沿って複数（本実施の形態では５個）並設されている。又、ヘッド部１３において各外刃１４の内部側には、図２に示すように、それぞれ外刃１４の長手方向であってヘッド部１３の幅方向に沿って往復駆動可能で外刃１４内に導入された体毛を挟んで切除するための内刃１５が設けられている。この内刃１５は、ヘッド部１３の内部に設けられたリニアモータ１６にて駆動可能とされている。
【００１７】
把持部１２は、図２に示すように、電気部品を密封して保持する第１及び第２の本体ケース２１，２２と、それら第１及び第２の本体ケース２１，２２を収容保持する把持ケース２３と、把持ケース２３の前面に形成された開口を塞ぐ前面パネル２４とを有する。尚、本実施の形態では、第１の本体ケース２１がスイッチ配設部材を構成している。前記電気部品は、二次電池２５及び回路部材２６を含み、その二次電池２５は回路部材２６及び防水チューブ２７内を通る配線（図示略）を介して前記リニアモータ１６に電気的に接続されている。そして、回路部材２６に設けられるスイッチ素子２８（図５参照）が一度押し込まれると二次電池２５からリニアモータ１６に駆動電流が供給され、スイッチ素子２８（図５参照）が再度押し込まれると駆動電流の供給が停止されるようになっている。
【００１８】
又、図５に示すように、前面側の前記第１の本体ケース２１において、前記スイッチ素子２８と対応した位置には、開口２１ａが形成されている。そして、その開口２１ａには、外部からスイッチ素子２８を押し込み可能としながら内部への液体の浸入を阻止する防水ゴム部材２９が二色成形にて設けられている。
【００１９】
又、図３に示すように、前面パネル２４の防水ゴム部材２９と対応した位置には、円形のパネル開口２４ａが形成されている。
そして、防水ゴム部材２９及びパネル開口２４ａと対応した位置には、押し込み操作されるボタン３１と、ボタン３１の押し込みを許容するアンロック状態と押し込みを不能とするロック状態とに切り換え可能なロック具４１等からなるスイッチが設けられている。
【００２０】
詳述すると、ボタン３１は、図４、図５及び図８に示すように、全体が略有底筒状に形成され、その外周面には周方向の一部から径方向外側に突出する外延部３２ａ〜３２ｃが形成されている。本実施の形態の外延部３２ａ〜３２ｃは、周方向に離間して３つ形成されている。
【００２１】
又、ボタン３１の底部（有底筒状の底の面）における中央には、図５に示すように、自身の開口端よりも外部まで軸方向に突出する伝達軸３３が形成されている。この伝達軸３３の先端部は、前記防水ゴム部材２９に形成された中央凹部２９ａに嵌入され、ボタン３１が押し込まれると防水ゴム部材２９を介して前記スイッチ素子２８を押し込むことが可能とされている。尚、本実施の形態の防水ゴム部材２９は、ボタン３１及びロック具４１が組み付けられた状態でボタン３１を押し込み方向の反対側に付勢する付勢部材を構成している。
【００２２】
又、ボタン３１の開口端には、図４及び図８に示すように、その周方向の一部であって２つの外延部３２ｂ，３２ｃの間の角度位置から外延部３２ａよりも径方向外側に大きく突出する規制片３４が形成されている。この規制片３４の先端部は、第１の本体ケース２１に形成された一対の規制部２１ｂ間に配置され、該規制部２１ｂと（伝達軸３３を軸中心とした）周方向に当接することでボタン３１の回転を規制する。
【００２３】
本実施の形態のロック具４１は、図４に示すように、操作リング部材５１と、ロック基台６１と、ロックリング部材７１とを備える。
操作リング部材５１は、パネル開口２４ａから外部に露出し、ボタン３１（その伝達軸３３）を回動中心として回動可能に設けられることで前記アンロック状態とするアンロック位置と前記ロック状態とするロック位置とに回動操作可能とされるものである。
【００２４】
ロック基台６１は、第１の本体ケース２１と前面パネル２４とに挟持されることで第１の本体ケース２１に対して固定され、後述する節度構造の一部を構成する固定側節度部６２を有するものである。
【００２５】
ロックリング部材７１は、ロック基台６１を挟み込んで操作リング部材５１と一体回動可能に連結され、後述する節度構造の一部を構成する回動側節度部７２を有するものである。
【００２６】
詳しくは、まず操作リング部材５１は、図１、及び図３に示すように、パネル開口２４ａから外部に露出する側の面（以下、表面）の周方向の一部に操作凸部５２を有する。これにより、使用者は操作凸部５２に指を掛けることで操作リング部材５１を回動させるための外力を加えることが容易とされている。
【００２７】
又、操作リング部材５１の裏面には、図４（ｂ）及び図５に示すように、軸方向に突出するとともにその先端に径方向内側（軸中心側）に突出する係合部５３ａを有する爪５３が形成されている。本実施の形態の爪５３は、周方向に１８０°離間して一対設けられている。爪５３（その係合部５３ａ）は、図８（ａ）に示すように、前記ロック位置に切り換えた状態で前記外延部３２ａ，３２ｂと周方向位置が一致して該外延部３２ａ，３２ｂと軸方向（押し込み方向）に当接することでボタン３１の押し込みを不能とする。又、爪５３（その係合部５３ａ）は、図８（ｂ）に示すように、前記アンロック位置に切り換えた状態で外延部３２ａ，３２ｂと周方向位置が不一致となり該外延部３２ａ，３２ｂと軸方向（押し込み方向）に当接しないことでボタン３１の押し込みを許容する。
【００２８】
又、爪５３の先端には、図４（ｂ）及び図５に示すように、径方向外側から凹設された凹部５３ｂが形成されている。
又、操作リング部材５１の裏面には、図４（ｂ）及び図８に示すように、軸方向に突出する突出部５４が形成されている。突出部５４は、爪５３よりも径方向外側において爪５３と周方向にずれた位置に互いが１８０°離間して一対設けられている。この突出部５４には、図４（ｂ）及び図７に示すように、径方向に貫通する係止部孔５４ａが形成されている。
【００２９】
又、操作リング部材５１の裏面において前記操作凸部５２と対応した位置には、図４（ｂ）に示すように、凹部５５が形成されている。
又、爪５３を含む操作リング部材５１の内径寸法は、外延部３２ａ〜３２ｃを除く（詳しくは規制片３４も除く）前記ボタン３１の外径寸法と同等以上、即ち略同じか若干大きい寸法であってボタン３１を内嵌可能な寸法とされている。
【００３０】
次に、ロック基台６１は、図４に示すように、その内径寸法が前記操作リング部材５１の内径寸法よりも大きく設定され、詳しくは、操作リング部材５１の突出部５４の内径寸法と略同じに設定されている。尚、突出部５４は円形ではなく内周がないが、本実施の形態で言う内径寸法とは、軸中心（伝達軸３３）からその部材の径方向内側端部までの距離の寸法のことを言う。
【００３１】
そして、ロック基台６１の表面には、図４（ａ）に示すように、前記突出部５４（図４（ｂ）参照）が収容される円弧凹部６３が形成されている。この円弧凹部６３の周方向両端部は、図８（ａ）に示すロック位置及び図８（ｂ）に示すアンロック位置と対応して設定され、突出部５４の周方向端部と当接することでそれ以上の操作リング部材５１の回動を規制するように設定されている。言い換えると、円弧凹部６３の周方向一端部（図８（ａ）中、反時計回り方向端部）に突出部５４が当接すると、爪５３（その係合部５３ａ）と前記外延部３２ａ，３２ｂの周方向位置が一致してボタン３１の押し込みを不能とするように設定されている。又、円弧凹部６３の周方向他端部（図８（ｂ）中、時計回り方向端部）に突出部５４が当接すると、爪５３（その係合部５３ａ）と外延部３２ａ，３２ｂの周方向位置が不一致となりボタン３１の押し込みを許容するように設定されている。
【００３２】
又、ロック基台６１の裏面には、図４（ｂ）及び図８に示すように、軸中心側に凸の湾曲面を有する前記固定側節度部６２が形成されている。
次に、ロックリング部材７１は、その筒部７３の外径寸法が前記ロック基台６１の内径寸法と同等以下、即ち略同じか若干小さい寸法であってロック基台６１に内嵌可能な寸法とされている。
【００３３】
又、図４（ａ）に示すように、ロックリング部材７１（筒部７３）の表面側（操作リング部材５１と対向する側）端部における周方向の一部には径方向外側に突出する外出部７４が形成されている。この外出部７４は、操作リング部材５１の前記凹部５５（図４（ｂ）参照）と対応し、該凹部５５の底面とロック基台６１の表面との間に介在されることになる。
【００３４】
又、図４（ａ）に示すように、ロックリング部材７１（筒部７３）の表面側（操作リング部材５１と対向する側）端部において前記外出部７４と離間した周方向の一部には径方向外側に突出する係止爪７５が形成されている。この係止爪７５は、ロック基台６１の表面に引っ掛かるように係合する。即ち、ロックリング部材７１は、まず外出部７４をロック基台６１の中央孔を通して表面側に配置し、次に係止爪７５をロック基台６１の中央孔を通してロック基台６１の表面に引っ掛けることでロック基台６１に組み付けられるようになっている。
【００３５】
又、図４（ａ）及び図７に示すように、ロックリング部材７１（その筒部７３）の表面側（操作リング部材５１と対向する側）端部の周方向の一部には径方向外側に突出する連結爪７６が形成されている。この連結爪７６は、ロックリング部材７１がロック基台６１に組み付けられた状態で、前記円弧凹部６３内に配置される。そして、その状態で、前記操作リング部材５１の突出部５４を円弧凹部６３内に収容させるとともに、突出部５４の係止部孔５４ａ（図４（ｂ）及び図７参照）に連結爪７６を嵌合させるようにして、操作リング部材５１とロックリング部材７１が連結される。
【００３６】
又、ロックリング部材７１の筒部７３の外周面には、図４及び図８に示すように、径方向外側に延びて更に周方向に延びる腕状の一対の前記回動側節度部７２が形成されている。この回動側節度部７２は、前記アンロック位置とロック位置との中間位置では前記固定側節度部６２にて弾性変形されつつ操作リング部材５１をアンロック位置又はロック位置に誘導するためのものであり、前記固定側節度部６２と共に所謂節度構造を構成する。
【００３７】
又、ロックリング部材７１（その筒部７３）の表面には、図４（ａ）に示すように、操作リング部材５１の前記爪５３（図４（ｂ）参照）が嵌り込む溝７７が形成されている。又、ロックリング部材７１の溝７７の底部と対応した位置には、図４（ａ）及び図５に示すように、その底部を径方向内側に延長するように径方向内側に延びて爪５３の係合部５３ａと当接する内延部７８が形成されている。又、ロックリング部材７１の溝７７の底部には、爪５３の前記凹部５３ｂ（図４（ｂ）及び図５参照）に嵌り込む凸部７９が形成されている。
【００３８】
ここで、本実施の形態では、ロックリング部材７１の筒部７３の一部であって、図５に示すように、溝７７の底部とそこから軸方向に延びて第１の本体ケース２１との間に介在される部分は受け部８１とされている。この受け部８１は、前記ロック状態での前記ボタン３１の押し込み力に応じて爪５３と第１の本体ケース２１とに挟持される。
【００３９】
又、図４（ａ）に示すように、ロックリング部材７１における前記溝７７の周方向側面は、前記爪５３の周方向側面と当接する周方向当接面８２とされている。
又、図５に示すように、ロックリング部材７１における前記凸部７９の径方向内側面は、前記爪５３の凹部５３ｂにおける径方向外側面と当接する外側当接面８３とされている。
【００４０】
又、図４及び図６に示すように、ロックリング部材７１（その筒部７３）の表面側端部の周方向の一部には径方向内側に突出する複数（本実施の形態では２つ）の反対側受け部８４が形成されている。この反対側受け部８４は、前記ロック位置か前記アンロック位置かに関わらず、防水ゴム部材２９にて押し込み方向の反対側に付勢されたボタン３１の外延部３２ａ，３２ｃにおける押し込み方向の反対側の面と当接するように形成されている。
【００４１】
又、ロックリング部材７１の内径寸法は、外延部３２ａ〜３２ｃを除く（詳しくは規制片３４も除く）前記ボタン３１の外径寸法と同等以上、即ち略同じか若干大きい寸法であってボタン３１を内嵌可能な寸法とされている。
【００４２】
そして、本実施の形態では、予めボタン３１を単独で第１の本体ケース２１に組み付けるようにしている。即ち、前記ロック具４１と組み付ける前に、上記したように規制片３４の先端部を一対の規制部２１ｂ間に配置しつつ伝達軸３３の先端部を防水ゴム部材２９の中央凹部２９ａに嵌入するようにしている。
【００４３】
一方、本実施の形態では、上記したようにロックリング部材７１をロック基台６１に組み付け、次にロック基台６１を挟み込むようにロックリング部材７１に操作リング部材５１を組み付けて（連結して）ロック具４１を組み付けるようにしている。そして、そのロック具４１をアンロック位置と対応した周方向位置に合わせてボタン３１の上から第１の本体ケース２１に組み付け、更に前面パネル２４を上からロック基台６１の外縁を挟むように第１の本体ケース２１に組み付けるようにしている。
【００４４】
このように構成された電気かみそり１１の作用を以下に記載する。
図８（ｂ）に示すように、操作リング部材５１がアンロック位置とされたアンロック状態では、爪５３（その係合部５３ａ）は、外延部３２ａ，３２ｂと周方向位置が不一致となる。よって、使用者がボタン３１を押し込むと、伝達軸３３が防水ゴム部材２９を介してスイッチ素子２８を押し込み、二次電池２５からリニアモータ１６に駆動電流が供給され、内刃１５が往復駆動される。
【００４５】
一方、図８（ａ）に示すように、操作リング部材５１がロック位置とされたロック状態では、爪５３（その係合部５３ａ）は、外延部３２ａ，３２ｂと周方向位置が一致する。よって、使用者がボタン３１を押し込もうとしても、外延部３２ａ，３２ｂが爪５３の係合部５３ａと押し込み方向に当接して押し込むことができなくなる。これにより、例えば、ロック状態とした電気かみそり１１を鞄等に収容して持ち運んでも、何らかの衝撃でボタン３１が押し込まれてしまうといったことが防止される。
【００４６】
次に、上記実施の形態の特徴的な効果を以下に記載する。
（１）ボタン３１の外延部３２ａ，３２ｂに当接させてその押し込みを不能とする爪５３が操作リング部材５１に設けられるため、弾性変形させる回動側節度部７２が設けられるロックリング部材７１に爪を設けた場合のように材料選定の自由度が小さくならない。即ち、押し込みを不能とするために剛性を必要とする爪５３が設けられた操作リング部材５１を単純に高剛性の材料にて成形することができる。又、弾性変形させるために弾性が必要となる回動側節度部７２が設けられたロックリング部材７１を単純に弾性部材（ここで言う弾性部材は剛性が低く使用者の操作感が良好となる程度の弾性を有した部材）にて成形することができる。よって、容易に良好な操作感と強固なロック状態を両立させることができる。
【００４７】
又、爪５３を含む操作リング部材５１の内径寸法及びロックリング部材７１の内径寸法は、外延部３２ａ〜３２ｃを除くボタン３１の外径寸法と同等以上とされる。よって、例えば、本実施の形態のように第１の本体ケース２１にボタン３１を組み付けた後に、アンロック位置と対応した周方向位置に合わせてボタン３１の上から（押し込み方向に）操作リング部材５１及びロックリング部材７１を組み付けることが可能となる。これにより、例えば、第１の本体ケース２１にボタン３１を組み付けただけの（操作リング部材５１及びロックリング部材７１を組み付けていない）状態で、ボタン３１の押し込み動作を確認することができる。又、例えば、本実施の形態のように操作リング部材５１及びロックリング部材７１を先に組み付けた（それらにボタン３１を組み付けていない）状態でそれらの回動力伝達動作（正常に組み付けられて一体回動するか否か）を確認することができる。その結果、例えば、上記各動作の確認を行わずに全てを組み付けて完成品（電気かみそり１１）を製造する場合に比べて、完成品となった状態でのスイッチの動作不良率を低下させることが可能となる等、組み付け性が良好となる。
【００４８】
（２）ロックリング部材７１には、ロック状態でのボタン３１の押し込み力に応じて爪５３と第１の本体ケース２１とに挟持される受け部８１（図５参照）が設けられる。よって、例えばロック状態において大きな力でボタン３１が押し込まれたとしても、その押し込み力を、受け部８１を介して第１の本体ケース２１で受け止めることができる。その結果、例えば、爪５３の変形をより抑えることができ、より大きな力での押し込みをも不能とすることができる。又、例えば、爪５３の破損を防止することができる。
【００４９】
（３）ロックリング部材７１には、爪５３の周方向側面と当接する周方向当接面８２（図４参照）が設けられる。このようにすると、爪５３が操作リング部材５１の回転操作力をロックリング部材７１に伝達する機能を兼ねることになる。よって、例えば省スペース化が可能になる。又、例えばボタン３１が正常な押し込み方向に対して傾斜した斜め方向に押し込まれて、その斜め方向の力が爪５３に掛かった場合でも爪５３が捩れるように変形してしまうことを周方向当接面８２にて抑えることができる。
【００５０】
（４）ロックリング部材７１には、爪５３の凹部５３ｂにおける径方向外側面と当接する外側当接面８３（図５参照）が設けられるため、外側当接面８３にて爪５３が径方向外側に広がるように変形してしまうことを抑えることができる。即ち、大きな力でボタン３１が押し込まれると、外延部３２ａ，３２ｂを径方向内側で支持する爪５３が径方向外側に向かう大きな力を受けることがあるが、このような場合でも爪５３が径方向外側に広がるように変形してしまうことを抑えることができる。
【００５１】
（５）ボタン３１は、防水ゴム部材２９にて押し込み方向の反対側に付勢されるものであって、ロックリング部材７１には、外延部３２ａ，３２ｃにおける押し込み方向の反対側の面と当接する反対側受け部８４（図４及び図６参照）が設けられる。このようにすると、防水ゴム部材２９による付勢力はボタン３１を介してロックリング部材７１の反対側受け部８４にて受け止められることになる。よって、ボタン３１と操作リング部材５１とが押圧接触してしまうことを回避することができる。その結果、例えば、ロックリング部材７１を低摩擦係数となるように構成すれば、操作リング部材５１とボタン３１との摩擦は考慮する必要が無くなり、外部に露出する操作リング部材５１とボタン３１の材料選定の自由度が大きくなる。
【００５２】
（６）ボタン３１には、周方向の一部からロックリング部材７１よりも径方向外側に突出し、第１の本体ケース２１に設けられた規制部２１ｂと当接して自身の回転を規制する規制片３４（図８参照）が設けられる。よって、ロックリング部材７１の内側に上記したような規制部を配置するスペースを確保する必要等がなくなり、例えば、ロックリング部材７１全体の小型化や薄型化を図ることが可能となる。
【００５３】
（７）固定側節度部６２は、第１の本体ケース２１に対して固定されるロック基台６１に設けられ、そのロック基台６１は、その一部がロックリング部材７１と操作リング部材５１とに挟み込まれて組み付けられる。よって、例えば、それらを先に組み付けた（それらにボタン３１を組み付けていない）状態で、固定側節度部６２と回動側節度部７２とによる節度構造の動作を確認することができる。その結果、例えば、上記動作の確認を行わずに全てを組み付けて完成品（電気かみそり１１）を製造する場合に比べて、完成品となった状態でのスイッチの動作不良率を低下させることが可能となる等、組み付け性がより良好となる。
【００５４】
（８）ロックリング部材７１は、操作リング部材５１の操作凸部５２と対応した位置の裏面（詳しくは凹部５５の底面）とロック基台６１の表面との間に介在（挟持）される外出部７４を有する。よって、例えば、使用者が操作リング部材５１の操作凸部５２を押し込みながら操作リング部材５１を回動させる際にも、外出部７４によって操作リング部材５１がロック基台６１と直接押圧接触してしまうことを回避することができる。その結果、例えば、ロックリング部材７１を低摩擦係数となるように構成すれば、操作リング部材５１とロック基台６１との摩擦は考慮する必要が無くなり、外部に露出する操作リング部材５１とロック基台６１の材料選定の自由度が大きくなる。
【００５５】
上記実施の形態は、以下のように変更してもよい。
・上記実施の形態では、ロックリング部材７１には、ロック状態でのボタン３１の押し込み力に応じて爪５３と第１の本体ケース２１とに挟持される受け部８１が設けられるとしたが、これに限定されず、受け部８１を有さないロックリング部材に変更してもよい。
【００５６】
・上記実施の形態では、ロックリング部材７１には、爪５３の周方向側面と当接する周方向当接面８２が設けられるとしたが、これに限定されず、周方向当接面８２を有さないロックリング部材に変更してもよい。
【００５７】
・上記実施の形態では、ロックリング部材７１には、爪５３の凹部５３ｂにおける径方向外側面と当接する外側当接面８３が設けられるとしたが、これに限定されず、外側当接面８３を有さないロックリング部材に変更してもよい。
【００５８】
・上記実施の形態では、ボタン３１は、防水ゴム部材２９にて押し込み方向の反対側に付勢されるとしたが、これに限定されず、防水ゴム部材２９以外の付勢部材で付勢する構成としてもよい。
【００５９】
・上記実施の形態では、ロックリング部材７１には、外延部３２ａ，３２ｃにおける押し込み方向の反対側の面と当接する反対側受け部８４が設けられるとしたが、これに限定されず、反対側受け部８４を有さないロックリング部材に変更してもよい。
【００６０】
・上記実施の形態では、ボタン３１の規制片３４は、ロックリング部材７１よりも径方向外側に突出するとしたが、これに限定されず、ロックリング部材７１の外縁よりも内側に配置される構成に変更してもよい。
【００６１】
・上記実施の形態では、ロック基台６１が固定側節度部６２を有する構成としたが、これに限定されず、固定側節度部は、第１の本体ケース２１に対して回動不能に設けられればよく、例えば第１の本体ケース２１に一体成形してもよい。又、この場合、ロック基台６１を省いた構成とすることが可能となる。
【００６２】
・上記実施の形態では、ロックリング部材７１は、操作リング部材５１の操作凸部５２と対応した位置の裏面とロック基台６１の表面との間に挟持される外出部７４を有するとしたが、これに限定されず、例えば、外出部７４が挟持されない構成に変更してもよい。又、例えば、外出部７４は、操作リング部材５１の操作凸部５２と対応していない位置に設けてもよい。
・上記実施の形態では、本発明を電気かみそり１１に配設されるスイッチとして具体化したが、同様のスイッチをヘアドライヤーや電気歯ブラシ等の他の電気機器に配設して実施してもよい。
【００６３】
（課題を解決するための手段に関する付記）
〔付記１〕：押し込み操作されるボタンと、前記ボタンの押し込みを許容するアンロック状態と押し込みを不能とするロック状態とに切り換え可能なロック具とを備え、前記ロック具は、前記ボタンを回動中心として回動可能に設けられることで前記アンロック状態とするアンロック位置と前記ロック状態とするロック位置とに回動操作可能な操作リング部材と、前記操作リング部材と一体回動可能に連結されるとともに前記アンロック位置と前記ロック位置との中間位置ではスイッチ配設部材に対して回動不能に設けられる固定側節度部にて弾性変形されつつ前記アンロック位置または前記ロック位置に誘導するための回動側節度部を有するロックリング部材とを備えたスイッチであって、前記ボタンには、周方向の一部から径方向外側に突出する外延部が設けられ、前記操作リング部材には、前記ロック位置に切り換えた状態で前記外延部と周方向位置が一致して該外延部と押し込み方向に当接することで押し込みを不能とし、前記アンロック位置に切り換えた状態で前記外延部と周方向位置が不一致となり該外延部と押し込み方向に当接しないことで押し込みを許容する爪が設けられ、前記爪を含む前記操作リング部材の内径寸法および前記ロックリング部材の内径寸法は、前記外延部を除く前記ボタンの外径寸法と同等以上とされたことを特徴とするスイッチ。
〔付記２〕：前記ロックリング部材には、前記ロック状態での前記ボタンの押し込み力に応じて前記爪と前記スイッチ配設部材とに挟持される受け部が設けられた付記１に記載のスイッチ。
〔付記３〕：前記ロックリング部材には、前記爪の周方向側面と当接する周方向当接面が設けられた付記１または付記２に記載のスイッチ。
〔付記４〕：前記ロックリング部材には、前記爪の径方向外側面と当接する外側当接面が設けられた付記１〜付記３のいずれか一項に記載のスイッチ。
〔付記５〕：前記ボタンは、付勢部材にて押し込み方向の反対側に付勢されるものであって、前記ロックリング部材には、前記外延部における押し込み方向の反対側の面と当接する反対側受け部が設けられた付記１〜付記４のいずれか一項に記載のスイッチ。
〔付記６〕：前記ボタンには、周方向の一部から前記ロックリング部材よりも径方向外側に突出し、前記スイッチ配設部材に対して移動不能に設けられた規制部と当接して自身の回転を規制する規制片が設けられた付記１〜付記５のいずれか一項に記載のスイッチ。
〔付記７〕：前記固定側節度部は、前記スイッチ配設部材に対して固定されるロック基台に設けられ、前記ロック基台は、前記ロックリング部材と前記操作リング部材とに挟み込まれて組み付けられる付記１〜付記６のいずれか一項に記載のスイッチ。
【符号の説明】
【００６４】
１２  ：把持部
１３  ：ヘッド部
１４  ：外刃
１５  ：内刃
１６  ：リニアモータ
２１  ：第１の本体ケース（スイッチ配設部材）
２１ａ：開口
２１ｂ：規制部
２２  ：第２の本体ケース
２３  ：把持ケース
２４  ：前面パネル
２４ａ：パネル開口
２５  ：二次電池
２６  ：回路部材
２７  ：防水チューブ
２８  ：スイッチ素子
２９  ：防水ゴム部材（付勢部材）
２９ａ：中央凹部
３１  ：ボタン
３２ａ：外延部
３２ｂ：外延部
３２ｃ：外延部
３３  ：伝達軸
３４  ：規制片
４１  ：ロック具
５１  ：操作リング部材
５２  ：操作凸部
５３  ：爪
５３ａ：係合部
５３ｂ：凹部
５４  ：突出部
５４ａ：係止部孔
５５  ：凹部
６１  ：ロック基台
６２  ：固定側節度部
６３  ：円弧凹部
７１  ：ロックリング部材
７２  ：回動側節度部
７３  ：筒部
７４  ：外出部
７５  ：係止爪
７６  ：連結爪
７７  ：溝
７８  ：内延部
７９  ：凸部
８１  ：受け部
８２  ：周方向当接面
８３  ：外側当接面
８４  ：反対側受け部
【図１】
0005629606.tif 000002
【図２】
0005629606.tif 000003
【図３】
0005629606.tif 000004
【図４】
0005629606.tif 000005
【図５】
0005629606.tif 000006
【図６】
0005629606.tif 000007
【図７】
0005629606.tif 000008
【図８】
0005629606.tif 000009